(57)【特許請求の範囲】
【請求項１】
両側の立ち上がり側壁の上端に、幅方向へ突出する連係板座を長尺方向に沿って形成してなる据付レール上に固定され、該据付レール上に装着された装着機器が据付レールに沿って移動しないよう固定する据付レール用固定金具において、
側面視略伏コ字状の外筐片と、
外筐片の内部に上下に摺動可能に保持されるものであって、下部両側から外筐片の下方に突出して、下端に相互に対向する係止突部が内方突成された一対の係止脚部を備え、各係止脚部の係止突部上には、連係板座に遊嵌する遊嵌溝部が形成された摺動片と、
係止突部を外筐片の下部に接近させるように摺動片を外筐片に対して上方付勢する付勢手段と、
外筐片の上部を貫通して摺動片に螺合し、据付レールに装着した状態で外筐片と摺動片を締結する固定ネジと
を備えてなり、
据付レールの各連係板座を各遊嵌溝部に内嵌し、各連係板座の端部を外筐片の下部と係止突部とで挟持することにより据付レールに固定されるものであり、
各係止脚部の、係止突部の基端側には、連係板座の端部を係止突部の上に案内するよう傾斜する傾斜案内縁が形成されていることを特徴とする据付レール用固定金具。
【請求項２】
外筐片の下部には、据付レールの各連係板座を各遊嵌溝部に内嵌した状態で、据付レールの上部に対して幅方向に遊びなく外嵌する密嵌凹部が形成されていることを特徴とする請求項１記載の据付レール用固定金具。
【請求項３】
外筐片と摺動片のいずれか一方に、他方の両側面と夫々当接することとなる一対の規制部が形成されるとともに、該規制部が当接する他方の両側面には滑らかな案内面が形成されており、
外筐片の密嵌凹部に据付レールを内嵌した状態で、係止突部を連係板座の下方に離間させると、案内面と規制部の間に幅方向に遊びが生じて、摺動片を外筐片に対して幅方向に摺動可能となり、
摺動片を外筐片に対して上昇させて離間した係止突部を連係板座に近接させていくと、案内面が規制部を幅方向に案内することによって、係止突部を連係板座の端部の下面に当接させる位置に摺動片が摺動することを特徴とする請求項２記載の据付レール用固定金具。
【請求項４】
前記付勢手段は、その上端を摺動片に、その下端を外筐片に係止される圧縮コイルバネであることを特徴とする請求項１乃至請求項３のいずれか１項に記載の据付レール用固定金具。
【発明の詳細な説明】
【技術分野】
【０００１】
本発明は、据付レール上に装着された端子台等の装着機器が据付レールに沿って移動しないように据付レールに固定される据付レール用固定金具に関する。
【背景技術】
【０００２】
導線を接続する複数の接続部を備え、各接続部に接続された各導線相互を電気的に接続する端子台は種々提案されている。このような端子台は、据付レール上に保持されて、複数列設され、集合端子台を構成することとなる（例えば特許文献１参照）。図７に示すように、前記据付レールＡは、両側の立ち上がり側壁Ｄ，Ｄの上端に、幅方向へ突出する連係板座Ｅ，Ｅを長尺方向に沿って形成してなり、導線相互を接続する端子台Ｃの下部に設けられた係合部（図示省略）を連係板座Ｅ，Ｅの下面に係合して、複数の端子台Ｃを整列状に保持するものである。そして、この据付レールＡ上に保持された集合端子台Ｂが据付レールＡに沿って移動しないようにするために、据付レール用固定金具（以下、「固定金具」と略す。）１ｂ，１ｂが装着される。
【０００３】
従来の固定金具１ｂは、図８に示すように、側面視略伏コ字状の外筐片３ｂと、該外筐片３ｂの内部に上下方向に摺動可能に保持され、下部両側から外筐片３ｂの下方に突出する一対の係止脚部１１ｂ，１１ｃが形成された摺動片４ｂと、外筐片３ｂの上部を貫通して摺動片４ｂに組み付けられた角ナット３１に螺合し、外筐片３ｂと摺動片４ｂを締結する固定ネジ５ｂとを備えてなる。一対の係止脚部１１ｂ，１１ｃには、下部両側から外筐片３ｂの下方に突出して、下端に相互に対向する係止突部１５ｂ，１５ｃが内方突成されており、該係止突部１５ｂの上には連係板座Ｅ，Ｅを遊嵌させる一対の遊嵌溝部１２ｂ，１２ｃが形成される。ここで、一方の係止突部１５ｃは他方の係止突部１５ｂよりも長く、当該係止突部１５ｃの上に形成される遊嵌溝部１２ｃは、他方の遊嵌溝部１２ｂよりも深いものとなっている。
【０００４】
上記固定金具１ｂは、図９の（ａ）〜（ｄ）に示す手順によって、据付レールＡに装着される。すなわち、まず、固定ネジ５ｂを緩めた状態で固定金具１ｂを据付レールＡに対して傾けて、深い方の遊嵌溝部１２ｃに一方の連係板座Ｅに遊嵌させる（図９ａ）。続いて連係板座Ｅを遊嵌溝部１２ｃの奥まで挿入した状態で、傾けた固定金具１ｂを水平にする（図９ｂ）。次いで、固定金具１ｂを深い方の遊嵌溝部１２ｃ方向にスライドさせて、浅い方の遊嵌溝部１２ｂに他方の連係板座Ｅを遊嵌させ（図９ｃ）、各係止突部１５ｂ，１５ｃを各連係板座Ｅの直下に位置させる。そして、固定ネジ５ｂを操作して摺動片４ｂと外筐片３ｂとを締結することにより、各係止脚部１１ｂ，１１ｃと外筐片３ｂとの間に各連係板座Ｅ，Ｅを挟持して、固定金具１ｂを据付レールＡに固定する（図９ｄ）。
【０００５】
【特許文献１】特開２００３−３３１９４７号公報  （段落０００３、図７）
【発明の開示】
【発明が解決しようとする課題】
【０００６】
上記従来の固定金具にあっては、一方の遊嵌溝部の深さを浅くして、装着の際に該遊嵌溝部の奥に連係板座を挿入することにより、両側の係止突部が各連係板座と係合し得るよう位置合わせを行っている。このため、据付レールに装着する際には、必ず深い方の遊嵌溝部を先に据付レールと嵌合させなければならず、遊嵌溝部の深い側を確認する手間が生じている。また、固定ネジで外筐片と摺動片を締結する際に、浅い方の遊嵌溝部から連係板座が脱落しないよう手で押さえておかないと固定金具の固定が不安定になり、装着が上手く行かないことがある。
【０００７】
本発明は、かかる現状に鑑みてなされたものであり、据付レールへの装着が容易な固定金具の提供を目的とする。
【課題を解決するための手段】
【０００８】
本発明は、両側の立ち上がり側壁の上端に、幅方向へ突出する連係板座を長尺方向に沿って形成してなる据付レール上に固定され、該据付レール上に装着された装着機器が据付レールに沿って移動しないよう固定する据付レール用固定金具において、側面視略伏コ字状の外筐片と、外筐片の内部に上下に摺動可能に保持されるものであって、下部両側から外筐片の下方に突出して、下端に相互に対向する係止突部が内方突成された一対の係止脚部を備え、各係止脚部の係止突部上には、連係板座に遊嵌する遊嵌溝部が形成された摺動片と、係止突部を外筐片の下部に接近させるように摺動片を外筐片に対して上方付勢する付勢手段と、外筐片の上部を貫通して摺動片に螺合し、据付レールに装着した状態で外筐片と摺動片を締結する固定ネジとを備えてなり、据付レールの各連係板座を各遊嵌溝部に内嵌し、各連係板座の端部を外筐片の下部と係止突部とで挟持することにより据付レールに固定されるものであり、各係止脚部の、係止突部の基端側には、連係板座の端部を係止突部の上に案内するよう傾斜する傾斜案内縁が形成されていることを特徴とする据付レール用固定金具である。
【０００９】
かかる固定金具を据付レールに装着する際には、まず、付勢手段の付勢力に抗して摺動片を下降させて外筐片の下部と係止突部を離間させ、据付レールの連係板座に遊嵌溝部を外嵌可能とする。そして、各連係板座に各遊嵌溝部を遊嵌させてから、付勢手段の付勢力によって摺動片を上昇させることにより係止突部を外筐片の下部に接近させ、各連係板座の端部を外筐片の下部と係止突部とにより上下に挟持する。すなわち、本発明の固定金具によれば、固定ネジの締結前に付勢手段の付勢力によって据付レールを仮保持することができ、作業者は固定ネジを締結する際に固定金具を手で押さえる手間が不要となる。また、固定金具を仮保持する際には、係止突部は連係板座の端部の直下に位置していなくても、係止突部の基端側の傾斜案内縁の案内作用によって各連係板座の端部が係止突部の上へ相対的に案内されて、連係板座と係止突部との位置合わせが自動的に行われることとなる。このため、本発明によれば、作業者は固定金具の幅方向の位置合わせを行う手間が不要となる。さらには、本発明の固定金具は、位置合わせのために一方の遊嵌溝部を浅くする構成が不要となるため、作業者は固定金具の左右を区別せずに据付レールに装着することが可能となる。
【００１０】
また、本発明において、外筐片の下部には、据付レールの各連係板座を各遊嵌溝部に内嵌した状態で、据付レールの上部に対して幅方向に遊びなく外嵌する密嵌凹部が形成されている構成が提案される。かかる構成にあっては、各遊嵌溝部に据付レールの各連係板座を内嵌した時に外筐片が据付レールの幅方向に固定されるため、固定金具を据付レールに仮保持する際に、連係板座の端部と係止突部との位置合わせを一層円滑に行うことが可能となる。また、仮保持状態で、外筐片が据付レールにより安定に保持されることとなるため、固定ネジを操作して外筐片と摺動片を締結する際に固定金具ががたつき難く、固定金具の装着作業を確実に行うことが可能となる。
【００１１】
さらには、外筐片と摺動片のいずれか一方に、他方の両側面と夫々当接することとなる一対の規制部が形成されるとともに、該規制部が当接する他方の両側面には滑らかな案内面が形成されており、外筐片の密嵌凹部に据付レールを内嵌した状態で、係止突部を連係板座の下方に離間させると、案内面と規制部の間に幅方向に遊びが生じて、摺動片を外筐片に対して幅方向に摺動可能となり、摺動片を外筐片に対して上昇させて離間した係止突部を連係板座に近接させていくと、案内面が規制部を幅方向に案内することによって、係止突部を連係板座の端部の下面に当接させる位置に摺動片が摺動する構成が提案される。
【００１２】
かかる構成にあっては、摺動片が外筐片に対して下方寄りに位置する状態では、案内面と規制部との間の遊びの範囲内で摺動片を幅方向に摺動可能であるため、据付レールの連係板座に摺動片の遊嵌溝部を遊嵌させる際に、外筐片が邪魔にならないように幅方向に摺動させることができる。一方、摺動片を外筐片に対して上昇させると、規制部に対する案内面の案内作用によって摺動片が幅方向に相対移動して、遊嵌溝部に内嵌する連係板座の端部の直下に各係止突部を位置させることとなる。したがって、かかる構成によれば、前記傾斜案内縁の案内作用が相互の摩擦力などによって十分に作用しない場合でも、案内面の案内作用によって固定金具と据付レールを正しく位置合わせすることができる。
【００１３】
また、本発明の据付レール用固定金具にあって、前記付勢手段は、圧縮コイルバネや引張コイルバネ、板バネ、その他の弾性材などによって構成することができる。圧縮コイルバネによって付勢手段を構成する場合には、例えば、外筐片及び摺動片に開口部を形成して、該開口部に圧縮コイルバネを装着し、該圧縮コイルバネの上端を摺動片に、その下端を外筐片に係止することが提案される。
【発明の効果】
【００１４】
以上に述べたように、本発明によれば、固定金具を据付レールに固定する際に、固定金具と据付レールの位置合わせを極めて簡単に行うことができる。また、固定ネジを操作して外筐片と摺動片を締結する際に、固定金具を手で押さえる手間も不要となる。さらには、装着の際に固定金具の左右を確認する手間も不要となる。
【発明を実施するための最良の形態】
【００１５】
以下に、本発明の実施形態を実施例に従って説明する。
【００１６】
本実施例の据付レール用固定金具１は、図１に示すように、既存の固定金具と同様に据付レールＡの上に固定されて、据付レールＡの上に装着された端子台Ｃが据付レールＡに沿って移動しないように固定するものである。
【００１７】
固定金具１は、図２〜５に示すように、側面視略伏コ字状の外筐片３と、該外筐片３の内部に形成される摺動間隙１３に上下に摺動可能に保持される摺動片４と、外筐片３と摺動片４を締結する固定ネジ５と、摺動片４を外筐片３に対して上方付勢する圧縮コイルバネ６とを具備してなる。
【００１８】
外筐片３は所要形状に打ち抜いた金属板片を屈曲加工してなるものである。外筐片３は、前後に対向する一対の側板部８，８と、該側板部８の上縁を相互に連係する上板部９とからなる側面視略伏コ字状をなしており、対向する側板部８，８の間に前記摺動片４を保持する略等幅の摺動間隙１３が形成される。
【００１９】
側板部８，８の両側下部には、一対の突起部２５，２５が下方突成されており、各突起部２５，２５の間に、据付レールＡの上部と略等幅をなし、据付レールＡの上部に密嵌する密嵌凹部２０が形成される。
【００２０】
外筐片３の下部は、図５に示すように、下方に向けて徐々に縮幅する形状をなしており、その両側面は下方に向けて内側に傾斜する滑らかな案内面２４，２４を形成している。この案内面２４は、後述するように摺動片４に形成された規制部２３と当接し、該規制部２３に対して案内作用を発揮することにより、摺動片４を幅方向に案内する。
【００２１】
摺動片４は、外筐片３同様に所要形状に打ち抜いた金属板片を側面視略伏コ字状に屈曲加工してなるものであり、前後に対向する一対の側板部１８，１８と、各側板部１８の上縁を相互に連係する上板部１９とからなる。摺動片４は、外筐片３よりやや幅広の正面視略横長帯状をなしており、外筐片３の摺動間隙１３の間隔と略等しい肉厚をなし、摺動間隙１３内で摺動可能に保持される。
【００２２】
摺動片４の両側下部には、外筐片３の下方に突出する左右一対の係止脚部１１，１１が形成される。各係止脚部１１，１１は、その下端に内向きに突出して相互に対向する係止突部１５，１５が形成された正面略Ｌ字状をなすものであり、各係止突部１５，１５の上には連係板座Ｅを遊嵌させる一対の遊嵌溝部１２，１２が形成される。係止突部１５，１５同士の間隔は、据付レールＡの上幅よりも僅かに狭く設定され、係止脚部１１の基端同士の間隔は、据付レールＡの上幅よりも広く設定されており、据付レールＡを傾けて左右の遊嵌溝部１２を各連係板座Ｅに順番に挿入することにより、摺動片４を据付レールＡの上部に外嵌させ得るようになっている。ここで、本実施例の係止脚部１１及び遊嵌溝部１２は左右対称形状をなしており、遊嵌溝部１２の左右を区別することなく各連係板座Ｅを挿入することができる。なお、外筐片３の密嵌凹部２０は、図２に示すように、摺動片４の各係止脚部１１，１１の間に位置しており、各連係板座Ｅを遊嵌溝部１２に遊嵌させると、密嵌凹部２０が据付レールＡの上部に幅方向に密嵌するように設定されている。
【００２３】
各係止突部１５の上縁は、連係板座Ｅの端部の下面に密接し得るよう水平になっている。また、各係止脚部１１の、係止突部１５の基端側には、中央下方に傾斜して、連係板座Ｅの端部を係止突部１５の上へ案内する傾斜案内縁２２が形成されている。
【００２４】
また、側板部１８，１８の係止脚部１１には、外筐片３の突起部２５に下方から当接して、摺動片４が摺動間隙１３の所定位置より上方摺動するのを規制する上昇規制突部１６が絞り加工によって前後方向に突成される。
【００２５】
また、摺動片４の各側板部１８，１８の両側部には、前後に突出して外筐片３の両側面の案内面２４，２４に夫々当接し、摺動片４の幅方向の摺動範囲を規制する規制部２３が形成される。
【００２６】
固定ネジ５は、ネジ本体４１の上端に頭部４０を備えてなる。ネジ本体４１は上板部９の中央部に形成された上下方向のネジ貫通孔１０を貫通し、摺動片４の上板部１９の中央に形成された上下方向のネジ孔２６に螺合している。かかる固定ネジ５の頭部４０を回転操作して、外筐片３に対して摺動片４を上昇させることにより、外筐片３と摺動片４とを締結可能となっている。
【００２７】
摺動片４は、図２に示すように、固定ネジ５より外筐片３に締結された状態では摺動間隙１３内で摺動不能であるが、外筐片３と摺動片４の締結を緩めた状態では摺動間隙１３内で摺動可能となる。ここで、摺動片４は、案内面２４と規制部２３とにより幅方向の摺動範囲を規制されている。具体的には、摺動片４は、外筐片３の狭幅部分が規制部２３の間に位置する状態では、規制部２３と案内面２４の間に生じた遊びの範囲内において幅方向に摺動可能となる。一方、摺動片４が上昇し、外筐片３の幅広部分が規制部２３，２３の間に密嵌して両者の間に遊びがなくなると、図２に示すように、密嵌凹部２０の両端部と各係止突部１５とが幅方向に一致して、各係止突部１５が連係板座Ｅの端部の直下に位置し、摺動片４はかかる状態で幅方向に摺動不能となる。
【００２８】
また、外筐片３の側板部８及び摺動片４の側板部１８の中央には、圧縮コイルバネ６を装着するためのバネ装着孔１７，２１が夫々開口している。各バネ装着孔１７，２１は、図２に示すように、正面略矩形状をなし、前後方向に略重なっている。外筐片３のバネ装着孔１７には下部に幅狭部１７ａが形成されており、一方、摺動片４のバネ装着孔２１には上部に幅狭部２１ａが形成されている。圧縮コイルバネ６は、各バネ装着孔１７，２１に装着された状態で、その上端部を摺動片４の幅狭部２１ａに、その下端部を外筐片３の幅狭部１７ａに係止されて、摺動片４を外筐片３に対して上方付勢する。
【００２９】
固定金具１は、図４に示すように、外筐片３の摺動間隙１３に、下方から摺動片４を挿入し、かかる状態で各バネ装着孔１７，２１に圧縮コイルバネ６を装着し、さらに固定ネジ５を外筐片３のネジ貫通孔１０に挿通して摺動片４のネジ孔２６に螺合することにより組み立てられる。
【００３０】
固定金具１を据付レールＡに装着する手順を、図６を参照して説明する。まず、外筐片３と摺動片４の締結を緩めて、摺動片４を摺動間隙１３内で昇降可能な状態とする。次に、かかる状態で、固定金具１を傾けて、圧縮コイルバネ６の付勢力に抗して摺動片４を押し下げながら、一側の遊嵌溝部１２の奥まで一方の連係板座Ｅを挿入する（図６ａ）。この時、規制部２３と案内面２４の間には十分な遊びがあるため、外筐片３の突起部２５は、連係板座Ｅの端部に押し上げられて遊嵌溝部１２の斜め上方に退避する。なお、本実施例の固定金具１は左右対称であり、両側の遊嵌溝部１２のいずれを先に連係板座Ｅに遊嵌させてもかまわない。
【００３１】
続いて、一方の連係板座Ｅを一側の遊嵌溝部１２の奥まで挿入した状態で、傾けた固定金具１を水平になるよう傾動させ、他側の遊嵌溝部１２を他方の連係板座Ｅに外嵌させる（図６ｂ参照）。これにより、両側の連係板座Ｅが各遊嵌溝部１２に遊嵌するとともに、外筐片３の密嵌凹部２０が据付レールＡの上部に密嵌する。
【００３２】
図６ｂに示す状態で固定金具１から手を放すと、圧縮コイルバネ６の付勢力により外筐片３対して摺動片４が上方へ摺動することによって、係止突部１５が連係板座Ｅに接近し、外筐片３の下面と摺動片４の係止突部１５との間に各連係板座Ｅが挟まれて、固定金具１が仮保持される（図６ｃ参照）。
【００３３】
固定金具１を据付レールＡに仮保持した上記状態から、さらに、電動ドライバー等により固定ネジ５の頭部４０を回転操作して該頭部４０を下降させ、摺動片４を外筐片３に対して上方に引っ張ることにより外筐片３と摺動片４とを締結する。これにより、係止突部１５と外筐片３に挟まれた各連係板座Ｅはより強く挟圧されて、固定金具１は据付レールＡに完全に固定される（図６ｄ参照）。なお、本実施例にあっては、固定金具１を仮保持した状態で、外筐片３が据付レールＡの上部に密嵌しているため、固定ネジ５の頭部４０を回転操作する際に固定金具１をがたつかせることなく作業できる。
【００３４】
このように、本実施例の固定金具１は、固定金具１を傾けて両側の遊嵌溝部１２を各連係板座Ｅに外嵌し、圧縮コイルバネ６の付勢力により仮保持を行い、最後に固定ネジ５により外筐片３と摺動片４を締結することによって据付レールＡに装着される。
【００３５】
ここで、本実施例の固定金具１にあっては、据付レールＡと固定金具１の幅方向の位置合わせが、上記装着手順の過程で自動的になされることとなる。すなわち、両側の遊嵌溝部１２を各連係板座Ｅに外嵌した状態で各連係板座Ｅの端部が係止突部１５の上に位置していなくても、連係板座Ｅが外筐片３と摺動片４に挟持される際に各係止突部１５の基端側の傾斜案内縁２２が連係板座Ｅの端部と当接して案内作用を発揮し、これにより、摺動片４が、各係止突部１５を連係板座Ｅの端部の直下に位置させるよう幅方向に移動するのである。
【００３６】
また、本実施例にあっては、傾斜案内縁２２の案内作用に加えて、外筐片３の案内面２４の案内作用によっても連係板座Ｅと係止突部１５の位置合わせが行われる。すなわち、圧縮コイルバネ６の付勢力によって摺動片４が上方へ摺動する際に、案内面２４が規制部２３と当接して案内作用を発揮することにより、摺動片４が、各係止突部１５を連係板座Ｅの端部の直下に位置させるよう幅方向に移動するのである。したがって、本実施例にあっては、据付レールＡへの装着時に傾斜案内縁２２の案内作用が不十分であったとしても、外筐片３の案内面２４の案内作用によって据付レールＡと固定金具１の位置合わせが確実に行われることとなる。
【００３７】
このように、本実施例にあっては、固定金具１を据付レールＡに装着する際に、固定金具１と据付レールＡの幅方向の位置合わせが自動的に行われることとなるから、作業者はかかる位置合わせを行う手間が不要となる。また、固定金具１を装着する際に、連係板座Ｅをどちらの遊嵌溝部１２へ先に挿入してもかまわないため、固定金具１の左右を確認する手間も不要である。したがって、本実施例の固定金具１は従来よりも容易に据付レールＡに装着できる。
【００３８】
また、本実施例の固定金具１は、固定ネジ５によって据付レールＡに固定する際に、圧縮コイルバネ６によって仮保持しておくことができるから、固定ネジ５を操作する際に固定金具１を手で保持する手間も不要となる。
【００３９】
なお、本発明の固定金具は、上記実施例の形態に限らず本発明の要旨を逸脱しない範囲内において種々変更を加えることができる。例えば、上記実施例は、端子台を装着する据付レールに用いる固定金具であったが、本発明は、端子台を装着する据付レールに用いるものに限らず、各種の装着機器を装着する据付レールに対する固定金具にも適用できる。また、上記実施例では、摺動片は、外筐片同様の側面視略伏コ字状のものであったが、本発明に係る摺動片は、かかる構成に限らず、例えば、摺動間隙の幅と略等しい肉厚の金属片を打ち抜いてなるものであってもかまわない。
【図面の簡単な説明】
【００４０】
【図１】実施例の固定金具１を据付レールＡに装着した状態の斜視図である。
【図２】実施例の固定金具１の正面図である。
【図３】実施例の固定金具１の側面図である。
【図４】実施例の固定金具１の分解斜視図である。
【図５】実施例の固定金具１の分解正面図である。
【図６】外筐片３を縦断して固定金具１の装着手順を示す説明図である。
【図７】従来の固定金具１ｂを据付レールＡに装着した状態の斜視図である。
【図８】従来構成の固定金具１ｂの分解斜視図である。
【図９】従来構成の固定金具１ｂを据付レールＡに固定する手順を示す説明図である。
【符号の説明】
【００４１】
１，１ｂ  固定金具
３，３ｂ  外筐片
４，４ｂ  摺動片
５，５ｂ  固定ネジ
６  圧縮コイルバネ
８  側板部
９  上板部
１１，１１ｂ，１１ｃ  係止脚部
１２，１２ｂ，１２ｃ  遊嵌溝部
１５  係止突部
１６  上昇規制突部
２０  密嵌凹部
２２  傾斜案内縁
２３  規制部
２４  案内面
Ａ 据付レール
Ｃ 端子台
Ｄ 側壁
Ｅ 連係板座
【図１】
0005043725.tif 000002
【図２】
0005043725.tif 000003
【図３】
0005043725.tif 000004
【図４】
0005043725.tif 000005
【図５】
0005043725.tif 000006
【図６】
0005043725.tif 000007
【図７】
0005043725.tif 000008
【図８】
0005043725.tif 000009
【図９】
0005043725.tif 000010